(57)【要約】      （修正有）【課題】果樹または野菜栽培時に周囲に敷設されるシートを押さえ付けるための押さえ金具において、風などでシートが長期間飛ばされないシートの押さえ付け性と、シート撤去時の容易な回収性を併せ持つ、簡単な構造の押さえ金具を提供する。【解決手段】本押さえ金具１は、シートを貫通して土中に差し込まれ、かつ土中に向かって略鉛直方向に延びる土中支持部２と、この土中支持部の上端に連結されてシートの上部を押さえ付け、かつ平坦な面積部を形成するシート押さえ部３とからなり、土中支持部とシート押さえ部が一本の金属線を変形することによって構成され、土中支持部が鉛直方向に対して螺旋状に変形された部分を少なくとも一部有している。【選択図】図１
0003175873.tif 000002
【実用新案登録請求の範囲】
【請求項１】
果樹または野菜栽培時に周囲に敷設されるシートを地面に押さえ付けるための金具であって、シートを貫通して土中に差し込まれ、かつ土中に向かって略鉛直方向に延びる土中支持部と、この土中支持部の上端に連結されてシートの上部を押さえ付け、かつ平坦な面積部を形成するシート押さえ部とからなり、土中支持部とシート押さえ部が一本の金属線を変形することによって構成され、土中支持部が鉛直方向に対して螺旋状に変形された部分を少なくとも一部有していることを特徴とする押さえ金具。
【請求項２】
土中支持部とシート押さえ部の連結部がシート押さえ部の平坦な面積部より上方に盛り上がっていることを特徴とする請求項１に記載の押さえ金具。
【考案の詳細な説明】
【技術分野】
【０００１】
本考案は、果樹または野菜栽培時に周囲に敷設される白色、銀色または黒色のシートを地面にしっかりと押さえ付けるための押さえ金具に関するものである。
【背景技術】
【０００２】
従来から、リンゴやミカン等の果樹栽培において果実を全体的に成熟させる方法として、地面からの太陽光の反射熱を利用するために白色または銀色の太陽光反射シートを果樹の周囲の地面に敷設することが行なわれている。また、野菜栽培において保温及び雑草避け対策として太陽熱の吸収のための黒色シート（フィルム）、または雑草避け及び害虫避け対策として白色シート（フィルム）を野菜の周囲の地面に敷設することが行なわれている。
【０００３】
かかるシートは、敷設時に風で飛ばされないように大量の押さえ具を使用して地面にしっかりと押さえ付けられる。従来から使用されている押さえ具は、プラスチック樹脂製または金属製のもので、土中差し込み部と平頭部とからなり、土中差し込み部に返し部が形成されて押さえ具が土中から抜けないようにしたものが一般的である。
【０００４】
しかしながら、従来の押さえ具は、プラスチック樹脂製のものについては破損・劣化等で耐用年数が短く、金属製のものについては耐用年数が長いが抜けやすいという苦情が多発している。そのため、土中差し込み部の返し部を大きくして土中から抜けにくくすると、シートの撤去時に押さえ具を抜き取って回収する作業が非常に煩雑になる問題がある。
【考案の概要】
【考案が解決しようとする課題】
【０００５】
本考案は、かかる従来技術の現状に鑑みなされたものであり、その目的は、果樹または野菜栽培時に周囲に敷設されるシートを押さえ付けるための押さえ金具において、風などでシートが長期間飛ばされないシートの押さえ付け性と、シート撤去時の容易な回収性を併せ持つ、簡単な構造の押さえ金具を提供することにある。
【課題を解決するための手段】
【０００６】
本考案者は、かかる目的を達成するために鋭意検討した結果、押さえ金具の土中支持部に鉛直方向に対して螺旋状に変形された部分を設けることにより、螺旋状変形部が従来の返し部より強い引き抜き抵抗力を示すこと、そして押さえ金具の設置及び回収作業が押さえ金具をねじ回転するだけで簡単に行なえることを見い出し、本考案の完成に至った。
【０００７】
即ち、本考案は、以下の（１）、（２）の構成を有するものである。
（１）果樹または野菜栽培時に周囲に敷設されるシートを地面に押さえ付けるための金具であって、シートを貫通して土中に差し込まれ、かつ土中に向かって略鉛直方向に延びる土中支持部と、この土中支持部の上端に連結されてシートの上部を押さえ付け、かつ平坦な面積部を形成するシート押さえ部とからなり、土中支持部とシート押さえ部が一本の金属線を変形することによって構成され、土中支持部が鉛直方向に対して螺旋状に変形された部分を少なくとも一部有していることを特徴とする押さえ金具。
（２）土中支持部とシート押さえ部の連結部がシート押さえ部の平坦な面積部より上方に盛り上がっていることを特徴とする（１）に記載の押さえ金具。
【考案の効果】
【０００８】
本考案の押さえ金具は、土中支持部に螺旋状変形部を設けているので、横に広がった螺旋状変形部が従来にない強い引き抜き抵抗力を示すとともに、ねじ回転だけで設置及び回収作業を容易に行うことができる。また、土中支持部とシート押さえ部の連結部にシート押さえ部の平坦な面積部より上方に盛り上がっている部分を設けられているので、押さえ金具の設置及び回収がその部分を把持してねじ回転することにより容易に行うことができる。
【図面の簡単な説明】
【０００９】
【図１】本考案の押さえ金具の一実施形態を示す。
【図２】本考案の押さえ金具の別の実施形態を示す。
【考案を実施するための形態】
【００１０】
本考案の押さえ金具の一例を図面に基づいて説明するが、本考案はこれらに限定されない。本考案の押さえ金具は、果樹栽培において果実の太陽光を受けやすい上方だけでなく下方も含めて全体的な成長を促進するために果樹の周囲に敷設される白色または銀色等の太陽光反射シートや、野菜栽培において保温及び雑草避け対策として太陽熱吸収のために野菜の周囲に敷設される黒色シート（フィルム）、または雑草避け及び害虫避け対策として野菜の周囲に敷設される白色シート（フィルム）を地面に押さえ付けるために使用されるものである。
【００１１】
図１は、本考案の押さえ金具の一実施形態を示す。図１からわかるように、本考案の押さえ金具１は土中支持部２とシート押さえ部３からなり、それらが一本の金属線を変形することによって構成されている。土中支持部２は、シートを上から下に貫通して土中に差し込み、かつ土中に向かって略鉛直方向に延びる部分であり、シート押さえ部３は、土中支持部２の上端に連結されてシートを上から押さえ付け、かつ平坦な面積部（図では略円形の平坦な面積部で表示）を形成する部分である。
【００１２】
本考案の押さえ金具の最大の特徴は、土中支持部２が鉛直方向に対してねじ回転可能なように螺旋状に変形された部分４を少なくとも一部有していることにある。螺旋状変形部分４は、その引き抜き抵抗力を十分に発揮させるために半巻き以上、さらには一巻き以上あることが好ましい。螺旋状変形部分４は、土中支持部２の全ての部分に設けてもよいが、最初の直線的な差し込み部を土中支持部２の全長の２０〜５０％設け、残りの全部又は一部（全長の１５〜５０％）にわたって螺旋状変形部分４を設けることが好ましい。螺旋の巻き数が多いほど引き抜き抵抗力は向上するが、押さえ金具の設置及び回収の作業を容易にするために螺旋の巻き数は最大三巻きで抑制することが好ましい。螺旋状変形部分が半巻き以上存在すると、土中で水平方向に十分なアンカー効果を及ぼすことができ、強い引き抜き抵抗力を達成することができる。
【００１３】
本考案の押さえ金具は、２〜５ｍｍの径の丸断面又は３〜３０ｍｍ２の断面積の異形断面（例えば四角線）の金属線（例えば鉄線、銅線、アルミ線、ＳＵＳ線）からなることが好ましい。土中支持部２の長さは、１０〜２５ｃｍにすることが好ましく、シート押さえ部３の平坦な面積部の面積は５〜１００ｃｍ２にすることが好ましい。シート押さえ部３の平坦な面積部の形状は、図１に示すような円形の他、多角形、星形、楕円形などを適宜採用することができる。
【００１４】
本考案の押さえ金具の実際の設置は、様々な方法を採用することができるが、例えば、地面に敷設されたシートに押さえ金具１の土中支持部２の先端の直線部を上から土中に向けて鉛直方向に差し込み、次いでシート押さえ部３をねじ回転させて螺旋状変形部４を土中に徐々にねじ入れ、最終的にシート押さえ部３の平坦な面積部がシートの上に接触して回せなくなるまでねじ入れることによって行なうことができる。逆に、本考案の押さえ金具の回収または撤去は、シート押さえ部３の平坦な面積部を設置時とは逆方向にねじ回転させて螺旋状変形部４を土中から取り出した後、鉛直方向に上に引き上げることによって行なうことができる。
【００１５】
図２は、本考案の押さえ金具の別の実施形態を示す。図２の押さえ金具と図１の押さえ金具の違いは、土中支持部２とシート押さえ部３の連結部がシート押さえ部の平坦な面積部より上方に盛り上がっている点にある。この盛り上がり部５は、シート押さえ部３の平坦な面積部以外の把持部分として機能し、押さえ金具のねじ回転の作業を一層容易にすることを可能にする。
【産業上の利用可能性】
【００１６】
本考案の押さえ金具は、引き抜き抵抗力と、設置及び回収の作業性に極めて優れているので、果樹または野菜栽培におけるシートの敷設時に多量に設置される押さえ具として極めて有用である。
【符号の説明】
【００１７】
１  押さえ金具
２  土中支持部
３  シート押さえ部
４  螺旋状変形部
５  盛り上がり部
【図１】
0003175873.tif 000003
【図２】
0003175873.tif 000004